(57)【要約】      （修正有）【課題】より向上した表示を行える画素、例えば、画素内の漏洩電流を最小化することによって、フリッカー現象のない所望の画像を表示する表示装置のための画素を提供する。【解決手段】本発明による画素は、有機発光ダイオードＯＬＥＤと、ゲート電極と接続された第１ノードＮ１の電圧に対応して、第１電極と接続された第１電源から有機発光ダイオードを経由して第２電源に供給される電流量を制御する第１トランジスタＴ１と、第１ノードと第１電源との間に接続されたストレージキャパシタＣｓｔと、データ線と第１トランジスタとの間に接続された第２トランジスタＴ２と、第１ノードに接続された第１電極と第１トランジスタの第２電極に接続された第２電極を含む第３トランジスタＴ３と、第１ノードに接続された第１電極と第１トランジスタの第２電極に接続された第２電極を含み、第１ノードに初期化電圧を伝達するための第４トランジスタＴ４と、を有する。【選択図】図２
2019113835.tif 000002
【特許請求の範囲】
【請求項１】
有機発光ダイオードと、
ゲート電極と接続された第１ノードの電圧に対応して、第１電極と接続された第１電源から前記有機発光ダイオードを経由して第２電源に供給される電流量を制御する第１トランジスタと、
前記第１ノードと前記第１電源との間に接続されたストレージキャパシタと、
データ線と前記第１トランジスタとの間に接続された第２トランジスタと、
前記第１ノードに接続された第１電極と前記第１トランジスタの第２電極に接続された第２電極を含む第３トランジスタと、
前記第１ノードに接続された第１電極と前記第１トランジスタの前記第２電極に接続された第２電極を含み、前記第１ノードに初期化電圧を伝達するための第４トランジスタと、を有することを特徴とする画素。
【請求項２】
前記有機発光ダイオードの第１電極に接続された第１電極と、前記初期化電圧を供給する電源に接続された第２電極と、を含む第７トランジスタをさらに有することを特徴とする請求項１に記載の画素。
【請求項３】
前記第４トランジスタと前記第７トランジスタは同時にターンオンすることを特徴とする請求項２に記載の画素。
【請求項４】
前記初期化電圧は、前記第７トランジスタ及び前記第４トランジスタを順次経由して前記第１ノードに供給されることを特徴とする請求項３に記載の画素。
【請求項５】
前記第１電源と前記第１トランジスタとの間に接続された第５トランジスタと、
前記第４トランジスタの第２電極と前記第７トランジスタの第１電極との間に接続された第６トランジスタと、をさらに有し、
前記第５トランジスタと前記第６トランジスタは順次にターンオフされることを特徴とする請求項２に記載の画素。
【請求項６】
前記第１電源と前記第１トランジスタとの間に接続された第５トランジスタと、
前記第３トランジスタの第２電極と前記第４トランジスタの第２電極との間に接続された第６トランジスタと、をさらに有し、
前記第５トランジスタ及び前記第６トランジスタは同時にターンオフされることを特徴とする請求項２に記載の画素。
【請求項７】
前記第１電源と前記第１トランジスタとの間に接続された第５トランジスタと、
前記第１トランジスタの第２電極と前記有機発光ダイオードの第１電極との間に接続された第６トランジスタと、
前記有機発光ダイオードの第１電極と前記初期化電圧を供給する初期化電源との間に接続された第７トランジスタと、
前記第１トランジスタの第２電極と前記初期化電源との間に接続された第８トランジスタと、をさらに有することを特徴とする請求項１に記載の画素。
【請求項８】
前記第４トランジスタ及び前記第８トランジスタは同時にターンオンすることを特徴とする請求項７に記載の画素。
【請求項９】
前記初期化電圧は、前記第８トランジスタ及び前記第４トランジスタを順次に経由して前記第１ノードに供給されることを特徴とする請求項８に記載の画素。
【請求項１０】
有機発光ダイオードと、
第１ノードの電圧に対応して第１電極と接続された第１電源から前記有機発光ダイオードを経由して第２電源に供給される電流量を制御する第１トランジスタと、
データ線の内のいずれか一つのデータ線と前記第１トランジスタとの間に接続される第２トランジスタと、
前記第１ノードに接続された第１電極及び前記第１トランジスタの前記第１電極又は第２電極に接続された第２電極を含む第３トランジスタと、
前記第３トランジスタの第２電極に接続された第１電極及び初期化電源と接続された第２電極を含む第４トランジスタと、を有することを特徴とする画素。
【請求項１１】
前記第１電源と前記第１トランジスタとの間に接続された第５トランジスタと、
前記第１トランジスタと前記有機発光ダイオードの第１電極との間に接続された第６トランジスタと、をさらに有することを特徴とする請求項１０に記載の画素。
【請求項１２】
前記第５トランジスタと前記第６トランジスタは同時にターンオンすることを特徴とする請求項１１に記載の画素。
【請求項１３】
前記有機発光ダイオードの第１電極に接続された第１電極と、前記初期化電源に接続された第２電極と、を含む第７トランジスタをさらに有することを特徴とする請求項１２に記載の画素。
【請求項１４】
前記第４トランジスタのゲート電極と前記第７トランジスタのゲート電極とが互いに接続されることを特徴とする請求項１３に記載の画素。
【請求項１５】
前記第１トランジスタの第１電極に前記第２トランジスタが接続され、前記第１トランジスタの第２電極に前記第３トランジスタが接続されることを特徴とする請求項１３に記載の画素。
【請求項１６】
前記第１トランジスタの第１電極に前記第３トランジスタが接続され、前記第１トランジスタの第２電極に前記第２トランジスタが接続されることを特徴とする請求項１３に記載の画素。
【請求項１７】
前記第５トランジスタと前記第６トランジスタは順次にターンオフされることを特徴とする請求項１１に記載の画素。
【請求項１８】
前記第３トランジスタのターンオン期間と前記第４トランジスタのターンオン期間とは互いに重複することを特徴とする請求項１０に記載の画素。
【発明の詳細な説明】
【技術分野】
【０００１】
本発明は画素及びこれを含む有機発光表示装置に関し、特に、画素内の漏洩電流を最小化してフリッカー現象を起こさない画素及びこれを含む有機発光表示装置に関するものである。
【背景技術】
【０００２】
有機発光表示装置は、電子と正孔の再結合によって光を発生する有機発光ダイオードを利用して画像を表示するものであって、これは速い応答速度を有すると共に鮮明な画像を表示できるという長所がある。
【０００３】
一般に、有機発光表示装置は駆動トランジスタと有機発光ダイオードを含む複数の画素を具備し、各画素は駆動トランジスタを利用して有機発光ダイオードに供給される電流量を制御することによって該当階調を表現することができる。
現行の有機発光表示装置においては、より向上した表示を行うという課題が存在する。
【先行技術文献】
【特許文献】
【０００４】
【特許文献１】大韓民国公開特許第２００９−０１３６２１４号公報
【特許文献２】大韓民国公開特許第２００３−００８５８５２号公報
【特許文献３】大韓民国公開特許第２００９−０１２１３９３号公報
【発明の概要】
【発明が解決しようとする課題】
【０００５】
本発明は上記従来の有機発光表示装置における課題点に鑑みてなされたものであって、本発明の目的は、より向上した表示を行える画素、例えば、画素内の漏洩電流を最小化することによって、フリッカー現象のない所望の画像を表示する表示装置のための画素を提供することにある。
【課題を解決するための手段】
【０００６】
上記目的を達成するためになされた本発明による画素は、有機発光ダイオードと、ゲート電極と接続された第１ノードの電圧に対応して、第１電極と接続された第１電源から前記有機発光ダイオードを経由して第２電源に供給される電流量を制御する第１トランジスタと、前記第１ノードと前記第１電源との間に接続されたストレージキャパシタと、データ線と前記第１トランジスタとの間に接続された第２トランジスタと、前記第１ノードに接続された第１電極と前記第１トランジスタの第２電極に接続された第２電極を含む第３トランジスタと、前記第１ノードに接続された第１電極と前記第１トランジスタの前記第２電極に接続された第２電極を含み、前記第１ノードに初期化電圧を伝達するための第４トランジスタと、を有することを特徴とする。
【０００７】
前記有機発光ダイオードの第１電極に接続された第１電極と、前記初期化電圧を供給する電源に接続された第２電極と、を含む第７トランジスタをさらに有することが好ましい。
前記第４トランジスタと前記第７トランジスタは同時にターンオンすることが好ましい。
前記初期化電圧は、前記第７トランジスタ及び前記第４トランジスタを順次経由して前記第１ノードに供給されることが好ましい。
【０００８】
前記第１電源と前記第１トランジスタとの間に接続された第５トランジスタと、前記第４トランジスタの第２電極と前記第７トランジスタの第１電極との間に接続された第６トランジスタと、をさらに有し、前記第５トランジスタと前記第６トランジスタは順次にターンオフされることが好ましい。
前記第１電源と前記第１トランジスタとの間に接続された第５トランジスタと、前記第３トランジスタの第２電極と前記第４トランジスタの第２電極との間に接続された第６トランジスタと、をさらに有し、前記第５トランジスタ及び前記第６トランジスタは同時にターンオフされることが好ましい。
前記第１電源と前記第１トランジスタとの間に接続された第５トランジスタと、前記第１トランジスタの第２電極と前記有機発光ダイオードの第１電極との間に接続された第６トランジスタと、前記有機発光ダイオードの第１電極と前記初期化電圧を供給する初期化電源との間に接続された第７トランジスタと、前記第１トランジスタの第２電極と前記初期化電源との間に接続された第８トランジスタと、をさらに有することが好ましい。
前記第４トランジスタ及び前記第８トランジスタは同時にターンオンすることが好ましい。
前記初期化電圧は、前記第８トランジスタ及び前記第４トランジスタを順次に経由して前記第１ノードに供給されることが好ましい。
【０００９】
また、上記目的を達成するためになされた本発明による画素は、有機発光ダイオードと、第１ノードの電圧に対応して第１電極と接続された第１電源から前記有機発光ダイオードを経由して第２電源に供給される電流量を制御する第１トランジスタと、データ線の内のいずれか一つのデータ線と前記第１トランジスタとの間に接続される第２トランジスタと、前記第１ノードに接続された第１電極及び前記第１トランジスタの前記第１電極又は第２電極に接続された第２電極を含む第３トランジスタと、前記第３トランジスタの第２電極に接続された第１電極及び初期化電源と接続された第２電極を含む第４トランジスタと、を有することを特徴とする。
【００１０】
前記第１電源と前記第１トランジスタとの間に接続された第５トランジスタと、前記第１トランジスタと前記有機発光ダイオードの第１電極との間に接続された第６トランジスタと、をさらに有することが好ましい。
前記第５トランジスタと前記第６トランジスタは同時にターンオンすることが好ましい。
前記有機発光ダイオードの第１電極に接続された第１電極と、前記初期化電源に接続された第２電極と、を含む第７トランジスタをさらに有することが好ましい。
前記第４トランジスタのゲート電極と前記第７トランジスタのゲート電極とが互いに接続されることが好ましい。
前記第１トランジスタの第１電極に前記第２トランジスタが接続され、前記第１トランジスタの第２電極に前記第３トランジスタが接続されることが好ましい。
前記第１トランジスタの第１電極に前記第３トランジスタが接続され、前記第１トランジスタの第２電極に前記第２トランジスタが接続されることが好ましい。
前記第５トランジスタと前記第６トランジスタは順次にターンオフされることが好ましい。
前記第３トランジスタのターンオン期間と前記第４トランジスタのターンオン期間とは互いに重複することが好ましい。
【発明の効果】
【００１１】
本発明に係る表示装置のための画素によれば、画素内の漏洩電流を最小化してフリッカー現象のない所望の画像を表示する表示装置を提供することができるという効果がある。
【図面の簡単な説明】
【００１２】
【図１】本発明の一実施形態による表示装置の構成を概略的に示すブロック図である。
【図２】図１に示した画素の一実施形態を示す回路図である。
【図３】図１に示した駆動部から出力される信号の出力タイミングを説明するための波形図である。
【図４】図１に示した画素の他の実施形態を示す回路図である。
【図５】図１に示した画素のさらに他の実施形態を示す回路図である。
【図６】本発明の他の実施形態による表示装置の構成を概略的に示すブロック図である。
【図７】図６に示した画素の一実施形態を示す回路図である。
【図８】図６に示した駆動部から出力される信号の出力タイミングを説明するための波形図である。
【図９】図６に示した画素の他の実施形態を示す回路図である。
【図１０】図６に示した画素のさらに他の実施形態を示す回路図である。
【発明を実施するための形態】
【００１３】
次に、本発明に係る表示装置のための画素を実施するための形態の具体例を図面を参照しながら説明する。
【００１４】
本発明の利点及び特徴、そしてそれらを達成する方法は、添付した図面と共に詳細に後述されている実施形態を参照すると明確となるはずである。
しかし、本発明は以下で開示する実施形態に限定されず、互いに異なる多様な形態で具現され得、以下の説明において、ある部分が他の部分と連結されているとする時、これは直接的に接続されている場合だけでなく、その中間に他の素子を挟んで電気的に接続されている場合も含む。
また、図面において本発明と関わらない部分は本発明の説明を明確にするために省略したのであり、明細書全体を通じて類似する部分については同じ図面符号を付した。
【００１５】
以下、本発明の実施形態と関連した図面を参照して、本発明の実施形態による画素、画素の駆動方法及び画素を含む有機発光表示装置について説明する。
【００１６】
図１は、本発明の一実施形態による有機発光表示装置の構成を概略的に示すブロック図である。
図１を参照すると、本発明の一実施形態による有機発光表示装置は、画素部１００、第１走査駆動部２１０ａ、第２走査駆動部２１０ｂ、発光駆動部２２０、データ駆動部２３０及びタイミング制御部２５０を含む。
【００１７】
タイミング制御部２５０は、外部から入力された信号に基づいて走査駆動制御信号（ＳＣＳ１、ＳＣＳ２）、データ駆動制御信号ＤＣＳ及び発光駆動制御信号ＥＣＳを生成する。
タイミング制御部２５０で生成された走査駆動制御信号（ＳＣＳ１、ＳＣＳ２）は走査駆動部２１０ａ、２１０ｂに供給され、データ駆動制御信号ＤＣＳはデータ駆動部２３０に供給され、発光駆動制御信号ＥＣＳは発光駆動部２２０に供給される。
【００１８】
走査駆動制御信号（ＳＣＳ１、ＳＣＳ２）と発光駆動制御信号ＥＣＳは、それぞれ少なくとも一つのクロック信号とスタートパルスを含むことができる。
スタートパルスは、最初の走査信号又は最初の発光制御信号のタイミングを制御する。
クロック信号はスタートパルスをシフトさせるために用いられ得る。
【００１９】
データ駆動制御信号ＤＣＳにはソーススタートパルス及びクロック信号が含まれ得る。
ソーススタートパルスはデータのサンプリング開始時点を制御し、クロック信号はサンプリング動作を制御するために用いられる。
【００２０】
第１走査駆動部２１０ａは、第１走査駆動制御信号ＳＣＳ１に対応して第１走査線（Ｓ１１〜Ｓ１ｎ）に第１走査信号を供給する。
例えば、第１走査駆動部２１０ａは第１走査線（Ｓ１１〜Ｓ１ｎ）に第１走査信号を順次に供給する。
第１走査線（Ｓ１１〜Ｓ１ｎ）に第１走査信号が順次に供給されると、画素ＰＸＬが水平ライン単位で選択される。
このために第１走査信号は画素ＰＸＬに含まれたトランジスタがターンオンするようにゲートオン電圧（例えば、ローレベルの電圧）に設定される。
【００２１】
第２走査駆動部２１０ｂは、第２走査駆動制御信号ＳＣＳ２に対応して第２走査線（Ｓ２１〜Ｓ２ｎ）に第２走査信号を供給する。
一例として、第２走査駆動部２１０ｂは第２走査線（Ｓ２１〜Ｓ２ｎ）に第２走査信号を順次に供給する。
第２走査信号は画素ＰＸＬに含まれたトランジスタがターンオンするようにゲートオン電圧（例えば、ローレベルの電圧）に設定される。
【００２２】
データ駆動部２３０は、データ駆動制御信号ＤＣＳに対応してデータ線（Ｄ１〜Ｄｍ）にデータ信号を供給する。
データ線（Ｄ１〜Ｄｍ）に供給されたデータ信号は、第１走査信号によって選択された画素ＰＸＬに供給される。
このために、データ駆動部２３０は第１走査信号と同期するようにデータ線（Ｄ１〜Ｄｍ）にデータ信号を供給する。
【００２３】
発光駆動部２２０は、発光駆動制御信号ＥＣＳに対応して発光制御線（Ｅ１〜Ｅｎ）に発光制御信号を供給する。
一例として、発光駆動部２２０は、発光制御線（Ｅ１〜Ｅｎ）に発光制御信号を順次に供給する。
発光制御線（Ｅ１〜Ｅｎ）に発光制御信号が順次に供給されると、画素ＰＸＬが水平ライン単位で非発光状態にされる。
このために、発光制御信号は画素ＰＸＬに含まれたトランジスタがターンオフされるようにゲートオフ電圧（例えば、ハイレバルの電圧）に設定される。
【００２４】
一方、図１では走査駆動部２１０ａ、２１０ｂ及び発光駆動部２２０が別個の構成のものとして示したが、本発明はこれに限定されない。
例えば、走査駆動部２１０ａ、２１０ｂ及び発光駆動部２２０は一つの駆動部で形成され得る。
また、走査駆動部２１０ａ、２１０ｂ及び／又は発光駆動部２２０は、薄膜工程を通じて基板に実装され得る。
また、走査駆動部２１０ａ、２１０ｂ及び／又は発光駆動部２２０は、画素部１００を挟んで両側に位置され得る。
【００２５】
画素部１００は、データ線（Ｄ１〜Ｄｍ）、走査線（Ｓ１１〜Ｓ１ｎ、Ｓ２１〜Ｓ２ｎ）及び発光制御線（Ｅ１〜Ｅｎ）と接続される複数の画素ＰＸＬを含む。
画素ＰＸＬは、外部から初期化電源Ｖｉｎｔ、第１電源ＥＬＶＤＤ、及び第２電源ＥＬＶＳＳの供給を受ける。
【００２６】
画素ＰＸＬのそれぞれは、自身と接続された第１走査線（Ｓ１１〜Ｓ１ｎ）に走査信号が供給される時に選択されてデータ線（Ｄ１〜Ｄｍ）からデータ信号の供給を受ける。
データ信号が供給された画素ＰＸＬは、データ信号に対応して第１電源ＥＬＶＤＤから有機発光ダイオード（図示されず）を経由して第２電源ＥＬＶＳＳに流れる電流量を制御する。
この時、有機発光ダイオードは電流量に対応して所定の輝度の光を生成することができる。
さらに、第１電源ＥＬＶＤＤは第２電源ＥＬＶＳＳよりも高い電圧に設定され得る。
【００２７】
一方、図１では画素ＰＸＬが一つの第１走査線Ｓ１ｉ、一つの第２走査線Ｓ２ｉ、一つのデータ線Ｄ１ｊ及び一つの発光制御線Ｅｉに接続されるものとして示したが、本発明はこれに限定されない。
換言すると、画素ＰＸＬの回路構造に対応して、画素ＰＸＬに接続される走査線（Ｓ１１〜Ｓ１ｎ、Ｓ２１〜Ｓ２ｎ）の数は複数でもよく、発光制御線（Ｅ１〜Ｅｎ）の数も複数でもよい。
【００２８】
また、場合により画素ＰＸＬは、第１走査線（Ｓ１１〜Ｓ１ｎ）及びデータ線（Ｄ１〜Ｄｍ）にのみ接続されてもよい。
この場合、第２走査線Ｓ２１〜Ｓ２ｎを駆動するための第２走査駆動部２１０ｂ、発光制御線（Ｅ１〜Ｅｎ）、及び発光制御線（Ｅ１〜Ｅｎ）を駆動するための発光駆動部２２０は除去され得る。
【００２９】
図２は、本発明の一実施形態による画素を示す回路図である。
図２では説明の便宜性のために、ｉ番目の水平ラインに位置し、ｊ番目のデータ線Ｄｊと接続された画素ＰＸＬを示す。
図２を参照すると、本発明の一実施形態による画素ＰＸＬは、有機発光ダイオードＯＬＥＤと、有機発光ダイオードＯＬＥＤに供給される電流量を制御するための画素回路３１０を含む。
【００３０】
有機発光ダイオードＯＬＥＤのアノード電極は画素回路３１０に接続され、カソード電極は第２電源ＥＬＶＳＳに接続される。
このような有機発光ダイオードＯＬＥＤは、画素回路３１０から供給される電流量に対応して所定の輝度の光を生成する。
画素回路３１０は、データ信号に、対応して第１電源ＥＬＶＤＤから有機発光ダイオードＯＬＥＤを経由して第２電源ＥＬＶＳＳに流れる電流量を制御する。
このために、画素回路３１０は、第１トランジスタＴ１〜第７トランジスタＴ７、及びストレージキャパシタＣｓｔを具備する。
【００３１】
第７トランジスタＴ７は、初期化電源Ｖｉｎｔと前記有機発光ダイオードＯＬＥＤのアノードとの間に接続される。
具体的には、第７トランジスタＴ７の第１電極は、有機発光ダイオードＯＬＥＤのアノード電極に接続され、第７トランジスタＴ７の第２電極は、初期化電源Ｖｉｎｔの供給先に接続される。
そして、第７トランジスタＴ７のゲート電極は（ｉ−１）番目の第１走査線Ｓ１（ｉ−１）に接続される。
第７トランジスタＴ７は、（ｉ−１）番目の第１走査線Ｓ１（ｉ−１）に第１走査信号が供給された時にターンオンされて、初期化電源Ｖｉｎｔの電圧を有機発光ダイオードＯＬＥＤのアノードに供給する。
ここで、初期化電源Ｖｉｎｔは、データ信号よりも低い電圧に設定され得る。
【００３２】
第６トランジスタＴ６は、第１トランジスタＴ１と有機発光ダイオードＯＬＥＤとの間に接続される。
具体的には、第６トランジスタＴ６の第２電極は、第１トランジスタＴ１の第２電極と接続され、第６トランジスタＴ６の第１電極は有機発光ダイオードＯＬＥＤのアノード電極及び第７トランジスタＴ７の第１電極の共通ノードに接続される。
そして、第６トランジスタＴ６のゲート電極は、ｉ番目の発光制御線Ｅｉに接続される。
第６トランジスタＴ６は、ｉ番目の発光制御線Ｅｉに発光制御信号が供給された時にターンオフされ、その他の場合にターンオンされる。
【００３３】
第５トランジスタＴ５は、第１電源ＥＬＶＤＤと第１トランジスタＴ１との間に接続される。
具体的には、第５トランジスタＴ５の第１電極は、第１トランジスタＴ１の第１電極と接続され、第５トランジスタＴ５の第２電極は第１電源ＥＬＶＤＤの供給先と接続される。
そして、第５トランジスタＴ５のゲート電極は、ｉ番目の発光制御線Ｅｉに接続される。
第５トランジスタＴ５は、ｉ番目の発光制御線Ｅｉに発光制御信号が供給された時にターンオフされ、その他の場合にターンオンされる。
【００３４】
第１トランジスタ（Ｔ１；駆動トランジスタ）の第１電極は、第５トランジスタＴ５を経由して第１電源ＥＬＶＤＤに接続され、第２電極は前記第６トランジスタＴ６を経由して有機発光ダイオードＯＬＥＤのアノードに接続される。
そして、第１トランジスタＴ１のゲート電極は、第１ノードＮ１に接続される。
第１トランジスタＴ１は、第１ノードＮ１の電圧に対応して、第１電源ＥＬＶＤＤから有機発光ダイオードＯＬＥＤを経由して第２電源ＥＬＶＳＳに流れる電流量を制御することができる。
【００３５】
第３トランジスタＴ３は、第１トランジスタＴ１の第２電極と第１ノードＮ１との間に接続される。
そして、第３トランジスタＴ３のゲート電極は、ｉ番目の第２走査線Ｓ２ｉに接続される。
第３トランジスタＴ３は、ｉ番目の第２走査線Ｓ２ｉに走査信号が供給された時にターンオンされて、第１トランジスタＴ１の第２電極と第１ノードＮ１を電気的に接続させる。
したがって、第３トランジスタＴ３がターンオンする時に第１トランジスタＴ１はダイオードの形態で接続され得る。
【００３６】
第４トランジスタＴ４は、第１トランジスタＴ１の第２電極と初期化電源Ｖｉｎｔとの間に接続される。
具体的には、第４トランジスタＴ４の第１電極は、初期化電源Ｖｉｎｔの供給先と接続され、第４トランジスタＴ４の第２電極は、第１トランジスタＴ１の第２電極と接続される。
そして、第４トランジスタＴ４のゲート電極は（ｉ−１）番目の第１走査線Ｓ１（ｉ−１）に接続される。
第４トランジスタＴ４は、（ｉ−１）番目の第１走査線Ｓ１（ｉ−１）に走査信号が供給された時にターンオンされて、第１ノードＮ１に初期化電源Ｖｉｎｔの電圧を供給する。
【００３７】
第２トランジスタＴ２は、ｊ番目のデータ線Ｄｊと第１トランジスタＴ１の第１電極との間に接続される。
そして、第２トランジスタＴ２のゲート電極は、ｉ番目の第１走査線Ｓ１ｉに接続される。
第２トランジスタＴ２は、ｉ番目の第１走査線Ｓ１ｉに走査信号が供給された時にターンオンされて、ｊ番目のデータ線Ｄｊと第１トランジスタＴ１の第１電極を電気的に接続させる。
【００３８】
ストレージキャパシタＣｓｔは、第１電源ＥＬＶＤＤと第１ノードＮ１との間に接続される。
ストレージキャパシタＣｓｔは、データ信号及び第１トランジスタＴ１のしきい電圧に対応する電圧を貯蔵することができる。
【００３９】
図３は、図１に示した駆動部から出力される信号の出力タイミングを説明するための波形図である。
図３を参照すると、第１走査信号（Ｇ１１〜Ｇ１ｎ）が順次に出力される。
それぞれの第１走査信号（Ｇ１１〜Ｇ１ｎ）は、同じ幅Ｗ１を有する。
ここで「走査信号の幅」とは、図面に示した波形でローレベルの信号が供給される時間を意味する。
【００４０】
次に、第２走査信号（Ｇ２１〜Ｇ２ｎ）が順次に出力される。
それぞれの第２走査信号（Ｇ２１〜Ｇ２ｎ）は同じ幅Ｗ２を有する。
第２走査信号（Ｇ２１〜Ｇ２ｎ）の幅Ｗ２は、第１走査信号（Ｇ１１〜Ｇ１ｎ）の幅Ｗ１よりも大きくてもよい。
例えば、一つの第２走査信号Ｇ２ｉは、連続した二つの第１走査信号（Ｇ１（ｉ−１）、Ｇ１ｉ）と重複し得る。
【００４１】
次に、発光制御信号（Ｆ１〜Ｆｎ）が順次に出力される。
それぞれの発光制御信号（Ｆ１〜Ｆｎ）は同じ幅を有し得る。
この時、発光制御信号（Ｆ１〜Ｆｎ）の幅は、第１走査信号（Ｇ１１〜Ｇ１ｎ）の幅より大きくてもよい。
また、いずれか一つの発光制御信号Ｆｉは、いずれか一つの第１走査信号Ｇ１ｉと重なるように供給され得る。
一方、ここで「発光制御信号の幅」とは、図面に示した波形でハイレバルの信号が供給される時間を意味する。
【００４２】
以下では、図２及び図３を参照して図２に示した画素ＰＸＬの駆動方法を説明する。
まず、ｉ番目の発光制御線Ｅｉに発光制御信号Ｆｉが供給される。
ｉ番目の発光制御線Ｅｉに発光制御信号Ｆｉが供給されると、第５トランジスタＴ５及び第６トランジスタＴ６がターンオフされる。
この時、画素ＰＸＬは非発光状態に設定される。
【００４３】
以後、（ｉ−１）番目の第１走査線Ｓ１（ｉ−１）に第１走査信号Ｇ１（ｉ−１）が供給され、同時にｉ番目の第２走査線Ｓ２ｉに第２走査信号Ｇ２ｉが供給される。
これにより第３トランジスタＴ３、第４トランジスタＴ４、及び第７トランジスタＴ７がターンオンする。
【００４４】
第７トランジスタＴ７がターンオンすると、初期化電源Ｖｉｎｔの電圧が有機発光ダイオードＯＬＥＤのアノード電極に供給される。
したがって、有機発光ダイオードＯＬＥＤに寄生的に形成された寄生キャパシタが放電され、これに伴い、ブラック表現能力を向上させることができる。
【００４５】
また、第３トランジスタＴ３及び第４トランジスタＴ４が同時にターンオンすると、初期化電源Ｖｉｎｔの電圧が第１ノードＮ１に供給される。
そうすると、第１ノードＮ１は、初期化電源Ｖｉｎｔの電圧に初期化される。
第１ノードＮ１が初期化電源Ｖｉｎｔの電圧に初期化されると、ｉ番目の第１走査線Ｓ１ｉに第１走査信号Ｇ１ｉが供給される。
ｉ番目の第１走査線Ｓ１ｉに第１走査信号Ｇ１ｉが供給されると、第２トランジスタＴ２がターンオンする。
【００４６】
第２走査信号Ｇ２ｉが供給される時間は第１走査信号Ｇ１ｉが供給される時間より長くてもよい。
具体的には、ｉ番目の第２走査信号Ｇ２ｉは（ｉ−１）番目の第１走査信号Ｇ１（ｉ−１）及びｉ番目の第１走査信号Ｇ１ｉと重なり得る。
したがって、ｉ番目の第１走査線Ｓ１ｉに第１走査信号Ｇ１ｉが供給される間、第３トランジスタＴ３は依然としてターンオン状態を維持することができる。
【００４７】
第３トランジスタＴ３がターンオン状態の時、第１トランジスタＴ１はダイオードの形態で接続される。
第２トランジスタＴ２がターンオン状態の時、ｊ番目のデータ線Ｄｊからのデータ信号が第１トランジスタＴ１の第１電極に供給される。
この時、第１ノードＮ１がデータ信号よりも低い初期化電源Ｖｉｎｔの電圧に初期化されたため、第１トランジスタＴ１がターンオンされる。
第１トランジスタＴ１がターンオンすると、データ信号から第１トランジスタＴ１のしきい電圧を差し引いた電圧が第１ノードＮ１に印加される。
ストレージキャパシタＣｓｔは、第１ノードＮ１に印加されたデータ信号及び第１トランジスタＴ１のしきい電圧に対応する電圧を貯蔵する。
以後、ｉ番目の発光制御線Ｅｉへの発光制御信号Ｆｉの供給が中断される。
【００４８】
ｉ番目の発光制御線Ｅｉへの発光制御信号Ｆｉの供給が中断されると、第５トランジスタＴ５及び第６トランジスタＴ６がターンオンする。
そうすると、第１電源ＥＬＶＤＤから第５トランジスタＴ５、第１トランジスタＴ１、第６トランジスタＴ６、及び有機発光ダイオードＯＬＥＤを経由して第２電源ＥＬＶＳＳに続く電流経路が形成される。
この時、第１トランジスタＴ１は、第１ノードＮ１の電圧に対応して第１電源ＥＬＶＤＤから有機発光ダイオードＯＬＥＤを経由して第２電源ＥＬＶＳＳに流れる電流量を制御する。
有機発光ダイオードＯＬＥＤは、第１トランジスタＴ１から供給される電流量に対応して所定の輝度の光を生成する。
実際に、画素ＰＸＬは上述した工程を繰り返して所定の輝度の光を生成することができる。
【００４９】
ｉ番目の発光制御線Ｅｉに供給される発光制御信号Ｆｉは、データ信号が画素ＰＸＬに充電される期間の間、画素ＰＸＬが非発光状態に設定されるように、少なくともｉ番目の第１走査信号Ｇｉｌと重なるように供給される。
このような発光制御信号Ｆｉの供給タイミングは多様な形態に変化され得る。
【００５０】
本実施形態による画素回路３１０の構造とは異なり、従来技術による画素回路では、第４トランジスタの第１電極が第３トランジスタの第１電極と接続され、第４トランジスタの第２電極が初期化電源と接続されるように接続される。
この場合、駆動トランジスタのゲート電極とストレージキャパシタの共通ノード（第１ノード）から第４トランジスタを経由して初期化電源までの漏洩電流経路が形成され、第１ノードから第３トランジスタを経由して有機発光ダイオードのアノード電極までの漏洩電流経路が形成される。
【００５１】
漏洩電流によって第１ノードの電圧が変化すると、画面上にフリッカーが視認され、このような問題点は、特に有機発光表示装置が低周波数（例えば、１Ｈｚ）で駆動する場合に目立って現れる。
しかしながら、本発明の一実施形態による画素回路３１０では、第４トランジスタＴ４を経て初期化電源Ｖｉｎｔに達するまでの漏洩電流経路を除去することによって、上述した問題点を解決することができる。
【００５２】
図４は、図１に示した画素の他の実施形態を示す回路図である。
図４では説明の便宜性のために、ｉ番目の水平ラインに位置し、ｊ番目のデータ線Ｄｊと接続された画素ＰＸＬを示す。
また、図４では、上述した実施形態（例えば、図２に示した画素回路３１０）と比較して変更された部分を中心に説明を進め、上述した実施形態と重複する部分については説明を省略する。
【００５３】
図４を参照すると、本発明の実施形態による画素ＰＸＬは、有機発光ダイオードＯＬＥＤと、有機発光ダイオードＯＬＥＤに供給される電流量を制御するための画素回路３２０を含む。
画素回路３２０は、有機発光ダイオードＯＬＥＤに供給される電流量を制御するために、第１トランジスタＴ１〜第７トランジスタＴ７、及びストレージキャパシタＣｓｔを具備する。
【００５４】
第７トランジスタＴ７は、初期化電源Ｖｉｎｔと有機発光ダイオードＯＬＥＤのアノード電極との間に接続される。
そして、第７トランジスタＴ７のゲート電極は（ｉ−１）番目の第１走査線Ｓ１（ｉ−１）に接続される。
第７トランジスタＴ７は、（ｉ−１）番目の第１走査線Ｓ１（ｉ−１）に第１走査信号が供給された時にターンオンされて、初期化電源Ｖｉｎｔの電圧を有機発光ダイオードＯＬＥＤのアノード電極に供給する。
【００５５】
第６トランジスタＴ６は、第１トランジスタＴ１と有機発光ダイオードＯＬＥＤとの間に接続される。
そして、第６トランジスタＴ６のゲート電極は、ｉ番目の発光制御線Ｅｉに接続される。
第６トランジスタＴ６は、ｉ番目の発光制御線Ｅｉに発光制御信号が供給された時にターンオフされ、その他の場合にターンオンされる。
【００５６】
第５トランジスタＴ５は、第１電源ＥＬＶＤＤと第１トランジスタＴ１との間に接続される。
そして、第５トランジスタＴ５のゲート電極は、ｉ番目の発光制御線Ｅｉに接続される。
第５トランジスタＴ５は、ｉ番目の発光制御線Ｅｉに発光制御信号が供給された時にターンオフされ、その他の場合にターンオンされる。
【００５７】
第１トランジスタＴ１の第１電極は、第５トランジスタＴ５を経由して第１電源ＥＬＶＤＤに接続され、第２電極は第６トランジスタＴ６を経由して有機発光ダイオードＯＬＥＤのアノードに接続される。
そして、第１トランジスタＴ１のゲート電極は、第１ノードＮ１に接続される。
第１トランジスタＴ１は、第１ノードＮ１の電圧に対応して、第１電源ＥＬＶＤＤから有機発光ダイオードＯＬＥＤを経由して第２電源ＥＬＶＳＳに流れる電流量を制御する。
【００５８】
第３トランジスタＴ３は、第１トランジスタＴ１の第１電極と第１ノードＮ１との間に接続される。
具体的には、第３トランジスタＴ３の第１電極は第１ノードＮ１に接続され、第３トランジスタＴ３の第２電極は第１トランジスタＴ１の第１電極に接続される。
第２トランジスタＴ２及び第３トランジスタＴ３が同時にターンオンすると、ｍ番目のデータ線Ｄｍからのデータ信号が第１トランジスタＴ１の第２電極に供給される。
【００５９】
第４トランジスタＴ４は、第１トランジスタＴ１の第１電極（又は第３トランジスタＴ３の第２電極及び第５トランジスタＴ５の第１電極の共通ノード）と初期化電源Ｖｉｎｔとの間に接続される。
具体的には、第４トランジスタＴ４の第１電極は、初期化電源Ｖｉｎｔの供給先と接続され、第４トランジスタＴ４の第２電極は、第１トランジスタＴ１の第１電極と接続される。
そして、第４トランジスタＴ４のゲート電極は、（ｉ−１）番目の第１走査線Ｓ１（ｉ−１）に接続される。
第４トランジスタＴ４は、（ｉ−１）番目の第１走査線Ｓ１（ｉ−１）に第１走査信号が供給された時にターンオンされて、第１ノードＮ１に初期化電源Ｖｉｎｔの電圧を供給する。
【００６０】
第２トランジスタＴ２は、ｊ番目のデータ線Ｄｊと第１トランジスタＴ１の第１電極との間に接続される。
そして、第２トランジスタＴ２のゲート電極は、ｉ番目の第１走査線Ｓ１ｉに接続される。
第２トランジスタＴ２は、ｉ番目の第１走査線Ｓ１ｉに第１走査信号が供給された時にターンオンされて、ｊ番目のデータ線Ｄｊと第１トランジスタＴ１の第１電極を電気的に接続させる。
【００６１】
ストレージキャパシタＣｓｔは、第１電源ＥＬＶＤＤと第１ノードＮ１との間に接続される。
ストレージキャパシタＣｓｔは、データ信号及び第１トランジスタＴ１のしきい電圧に対応する電圧を貯蔵する。
【００６２】
図４に示した画素（ＰＸＬ、画素回路３２０含む）には図３に示した信号（Ｇ１１〜Ｇ１ｎ、Ｇ２１〜Ｇ２ｎ、Ｆ１〜Ｆｎ）が供給され、図２に示した画素（ＰＸＬ、画素回路３１０含む）と同じ順序により駆動する。
【００６３】
本実施形態による画素回路３２０の構造とは異なり、従来技術による画素回路では第４トランジスタの第１電極が第１トランジスタのゲート電極と接続され、第４トランジスタの第２電極が初期化電源と接続されるように接続される。
この場合、第１トランジスタのゲート電極とストレージキャパシタの第２電極の共通ノード（第１ノード）から第４トランジスタを経由して初期化電源までの漏洩電流経路が形成され、第１電源から第３トランジスタを経由して第１ノードまでの漏洩電流経路が形成される。
漏洩電流によって第１ノードの電圧が変化すると、画面上にフリッカーが視認され、このような問題点は特に表示装置が低周波数（例えば、１Ｈｚ）で駆動する場合に目立って現れる。
しかしながら、本発明の実施形態による画素回路３２０では、第４トランジスタＴ４を経て初期化電源Ｖｉｎｔに達するまでの漏洩電流経路を除去することによって、上述した問題点を解決することができる。
【００６４】
図５は、図１に示した画素のさらに他の実施形態を示す回路図である。
図５では説明の便宜性のために、ｉ番目の水平ラインに位置し、ｍ番目のデータ線Ｄｍと接続された画素ＰＸＬを示す。
また、図５では上述した実施形態（例えば図２に示した画素回路３１０）と比較して変更された部分を中心に説明を進め、上述した実施形態と重複する部分については説明を省略する。
これに伴い、ここでは第４トランジスタと他のトランジスタとの接続関係を中心に説明を進行する。
【００６５】
図５を参照すると、本発明のさらに他の実施形態による画素ＰＸＬは、有機発光ダイオードＯＬＥＤと、有機発光ダイオードＯＬＥＤに供給される電流量を制御するための画素回路３３０を含む。
画素回路３３０は、有機発光ダイオードＯＬＥＤに供給される電流量を制御するために、第１トランジスタＴ１〜第６トランジスタＴ６、及びストレージキャパシタＣｓｔを具備する。
【００６６】
第６トランジスタＴ６は、第１トランジスタＴ１と有機発光ダイオードＯＬＥＤとの間に接続される。
そして、第６トランジスタＴ６ゲート電極は、（ｉ＋１）番目の発光制御線Ｅ（ｉ＋１）に接続される。
第６トランジスタＴ６は、（ｉ＋１）番目の発光制御線Ｅ（ｉ＋１）に発光制御信号が供給される時にターンオフされ、その他の場合にターンオンされる。
【００６７】
第５トランジスタＴ５は、第１電源ＥＬＶＤＤと第１トランジスタＴ１との間に接続される。
そして、第５トランジスタＴ５のゲート電極は、ｉ番目の発光制御線Ｅｉに接続される。
第５トランジスタＴ５は、ｉ番目の発光制御線Ｅｉに発光制御信号が供給された時にターンオフされ、その他の場合にターンオンされる。
【００６８】
第１トランジスタＴ１の第１電極は、第５トランジスタＴ５を経由して第１電源ＥＬＶＤＤに接続され、第２電極は、第６トランジスタＴ６を経由して有機発光ダイオードＯＬＥＤのアノードに接続される。
そして、第１トランジスタＴ１のゲート電極は、第１ノードＮ１に接続される。
第１トランジスタＴ１は、第１ノードＮ１の電圧に対応して、第１電源ＥＬＶＤＤから有機発光ダイオードＯＬＥＤを経由して第２電源ＥＬＶＳＳに流れる電流量を制御する。
【００６９】
第３トランジスタＴ３は、第１トランジスタＴ１の第２電極と第１ノードＮ１との間に接続される。
そして、第３トランジスタＴ３のゲート電極は、ｉ番目の第２走査線Ｓ２ｉに接続される。
第３トランジスタＴ３は、ｉ番目の第２走査線Ｓ２ｉに走査信号が供給された時にターンオンされて、第１トランジスタＴ１の第２電極と第１ノードＮ１を電気的に接続させる。
したがって、第３トランジスタＴ３がターンオンする時に第１トランジスタＴ１はダイオードの形態で接続される。
【００７０】
第４トランジスタＴ４は、初期化電源Ｖｉｎｔと有機発光ダイオードＯＬＥＤのアノード間に接続される。
具体的には、第４トランジスタＴ４の第１電極は、有機発光ダイオードＯＬＥＤのアノード電極に接続され、第４トランジスタＴ４の第２電極は、初期化電源Ｖｉｎｔの供給先に接続される。
そして、第４トランジスタＴ４のゲート電極は、（ｉ−１）番目の第１走査線Ｓ１（ｉ−１）に接続される。
第４トランジスタＴ４は、（ｉ−１）番目の第１走査線Ｓ１（ｉ−１）に第１走査信号が供給された時にターンオンされて、初期化電源Ｖｉｎｔの電圧を有機発光ダイオードＯＬＥＤのアノード及び第１ノードＮ１に供給する。
【００７１】
第２トランジスタＴ２は、ｊ番目のデータ線Ｄｊと第１トランジスタＴ１の第１電極との間に接続される。
そして、第２トランジスタＴ２のゲート電極は、ｉ番目の第１走査線Ｓ１ｉに接続される。
第２トランジスタＴ２は、ｉ番目の第１走査線Ｓ１ｉに第１走査信号が供給された時にターンオンされて、ｊ番目のデータ線Ｄｊと第１トランジスタＴ１の第１電極を電気的に接続させる。
【００７２】
ストレージキャパシタＣｓｔは、第１電源ＥＬＶＤＤと第１ノードＮ１との間に接続される。
ストレージキャパシタＣｓｔは、データ信号及び第１トランジスタＴ１のしきい電圧に対応する電圧を貯蔵する。
【００７３】
以下では、図３も参照して、図５に示した画素ＰＸＬの駆動方法を説明する。
まず、ｉ番目の発光制御線Ｅｉに発光制御信号Ｆｉが供給される。
ｉ番目の発光制御線Ｅｉに発光制御信号Ｆｉが供給されると第５トランジスタＴ５がターンオフされ、画素ＰＸＬは非発光状態に設定される。
次に（ｉ−１）番目の第１走査線Ｓ１（ｉ−１）に第１走査信号Ｇ１（ｉ−１）が供給され、同時にｉ番目の第２走査線Ｓ２ｉに第２走査信号Ｇ２ｉが供給される。
これにより第３トランジスタＴ３及び第４トランジスタＴ４がターンオンする。
【００７４】
第４トランジスタＴ４がターンオンすると、初期化電源Ｖｉｎｔの電圧が有機発光ダイオードＯＬＥＤのアノード電極に供給される。
また、第３トランジスタＴ３及び第４トランジスタＴ４が同時にターンオンすることによって初期化電源Ｖｉｎｔの電圧が第６トランジスタＴ６を経由して第１ノードＮ１に供給される。
そうすると、第１ノードＮ１は、初期化電源Ｖｉｎｔの電圧に初期化される。
この時、第３トランジスタＴ３は、ｉ番目の第１走査線Ｓ１ｉに第１走査信号Ｇ１ｉが供給されるまでターンオン状態を維持する。
【００７５】
次に、（ｉ＋１）番目の発光制御線Ｅ（ｉ＋１）に発光制御信号Ｆ（ｉ＋１）が供給され、ｉ番目の第１走査線Ｓ１ｉに第１走査信号Ｇ１ｉが供給される。
発光制御信号Ｆ（ｉ＋１）が供給されると第６トランジスタＴ６がターンオフされ、第６トランジスタＴ６がターンオフ状態を維持する間、第１走査信号Ｇ１ｉが供給されて第２トランジスタＴ２がターンオンする。
第２トランジスタＴ２がターンオンすると、ｊ番目のデータ線Ｄｊからのデータ信号が第１トランジスタＴ１の第１電極に供給される。
また、第３トランジスタＴ３がターンオン状態を維持することによって第１トランジスタＴ１がダイオードの形態で接続される。
この時、第１ノードＮ１がデータ信号よりも低い初期化電源Ｖｉｎｔの電圧に初期化されたため、第１トランジスタＴ１がターンオンされる。
第１トランジスタＴ１がターンオンすると、データ信号から第１トランジスタＴ１のしきい電圧を差し引いた電圧が第１ノードＮ１に印加される。
【００７６】
ストレージキャパシタＣｓｔは、第１ノードＮ１に印加されたデータ信号及び第１トランジスタＴ１のしきい電圧に対応する電圧を貯蔵する。
以後、ｉ番目の発光制御信号Ｆｉ及び（ｉ＋１）番目の発光制御信号Ｆ（ｉ＋１）の供給が順次に中断される。
ｉ番目の発光制御信号Ｆｉの供給が中断されると、第５トランジスタＴ５がターンオンされ、（ｉ＋１）番目の発光制御信号Ｆ（ｉ＋１）の供給が中断されると第６トランジスタＴ６がターンオンする。
そうすると、第１電源ＥＬＶＤＤから第５トランジスタＴ５、第１トランジスタＴ１、第６トランジスタＴ６、及び有機発光ダイオードＯＬＥＤを経由して第２電源ＥＬＶＳＳに続く電流経路が形成される。
この時、第１トランジスタＴ１は、第１ノードＮ１の電圧に対応して第１電源ＥＬＶＤＤから有機発光ダイオードＯＬＥＤを経由して第２電源ＥＬＶＳＳに流れる電流量を制御する。
有機発光ダイオードＯＬＥＤは、第１トランジスタＴ１から供給される電流量に対応して所定の輝度の光を生成する。
【００７７】
図６は、本発明の他の実施形態による表示装置の構成を概略的に示すブロック図である。
図６では上述した実施形態（例えば図１に示した表示装置）と比較して変更された部分を中心に説明を進め、上述した実施形態と重複する部分については説明を省略する。
図６を参照すると、本発明の他の実施形態による表示装置は、画素部１００、走査駆動部２１０ａ、発光駆動部２２０、データ駆動部２３０、及びタイミング制御部２５０を含む。
【００７８】
すなわち、図１に示した表示装置とは異なり、画素部１００は、データ線（Ｄ１〜Ｄｍ）、走査線（Ｓ１１〜Ｓ１ｎ）、及び発光制御線（Ｅ１〜Ｅｎ）と接続される複数の画素ＰＸＬを含む。
一方、図６では、画素ＰＸＬがそれぞれ一つの第１走査線（Ｓ１１〜Ｓ１ｎ）、一つのデータ線（Ｄ１〜Ｄｍ）、及び一つの発光制御線（Ｅ１〜Ｅｎ）に接続されるものとして示したが、本発明はこれに限定されない。
換言すると、画素ＰＸＬの回路構造に対応して画素ＰＸＬに接続される第１走査線（Ｓ１１〜Ｓ１ｎ）の数は複数でもよく、発光制御線（Ｅ１〜Ｅｎ）の数も複数でもよい。
【００７９】
また、場合により画素ＰＸＬは、第１走査線（Ｓ１１〜Ｓ１ｎ）及びデータ線（Ｄ１〜Ｄｍ）にのみ接続されてもよい。
この場合、発光制御線（Ｅ１〜Ｅｎ）及び発光制御線（Ｅ１〜Ｅｎ）を駆動するための発光駆動部２２０は除去される。
【００８０】
図７は、図６に示した画素の一実施形態を示す回路図である。
図７では説明の便宜性のために、ｉ番目の水平ラインに位置し、ｊ番目のデータ線Ｄｊと接続された画素ＰＸＬを示す。
また、図７では上述した実施形態（例えば図２に示した画素回路３１０）と比較して変更された部分を中心に説明を進め、上述した実施形態と重複する部分については説明を省略する。
【００８１】
図７を参照すると、本発明の一実施形態による画素ＰＸＬは、有機発光ダイオードＯＬＥＤと、有機発光ダイオードＯＬＥＤに供給される電流量を制御するための画素回路３４０を含む。
画素回路３４０は、有機発光ダイオードＯＬＥＤに供給される電流量を制御するために、第１トランジスタＴ１〜第７トランジスタＴ７、及びストレージキャパシタＣｓｔを具備する。
【００８２】
第７トランジスタＴ７は、初期化電源Ｖｉｎｔと有機発光ダイオードＯＬＥＤのアノード電極との間に接続される。
そして、第７トランジスタＴ７のゲート電極は、（ｉ−１）番目の第１走査線Ｓ１（ｉ−１）に接続される。
第７トランジスタＴ７は、（ｉ−１）番目の第１走査線Ｓ１（ｉ−１）に第１走査信号が供給された時にターンオンされて、初期化電源Ｖｉｎｔの電圧を有機発光ダイオードＯＬＥＤのアノード電極に供給する。
【００８３】
第６トランジスタＴ６は、第１トランジスタＴ１と有機発光ダイオードＯＬＥＤとの間に接続される。
そして、第６トランジスタＴ６のゲート電極は、（ｉ＋１）番目の発光制御線Ｅ（ｉ＋１）に接続される。
第６トランジスタＴ６は、（ｉ＋１）番目の発光制御線Ｅ（ｉ＋１）に発光制御信号が供給された時にターンオフされ、その他の場合にターンオンされる。
【００８４】
第５トランジスタＴ５は、第１電源ＥＬＶＤＤと第１トランジスタＴ１との間に接続される。
そして、第５トランジスタＴ５のゲート電極は、ｉ番目の発光制御線Ｅｉに接続される。
第５トランジスタＴ５は、ｉ番目の発光制御線Ｅｉに発光制御信号が供給された時にターンオフされ、その他の場合にターンオンされる。
【００８５】
第１トランジスタＴ１の第１電極は、第５トランジスタＴ５を経由して第１電源ＥＬＶＤＤに接続され、第２電極は、第６トランジスタＴ６を経由して有機発光ダイオードＯＬＥＤのアノードに接続される。
そして、第１トランジスタＴ１のゲート電極は、第１ノードＮ１に接続される。
第１トランジスタＴ１は、第１ノードＮ１の電圧に対応して、第１電源ＥＬＶＤＤから有機発光ダイオードＯＬＥＤを経由して第２電源ＥＬＶＳＳに流れる電流量を制御する。
【００８６】
第３トランジスタＴ３は、第１トランジスタＴ１の第２電極と第１ノードＮ１との間に接続される。
具体的には、第３トランジスタＴ３の第１電極は、第１ノードＮ１に接続され、第３トランジスタＴ３の第２電極は、第１トランジスタＴ１の第２電極に接続される。
第２トランジスタＴ２及び第３トランジスタＴ３が同時にターンオンすると、ｊ番目のデータ線Ｄｊからのデータ信号が第１トランジスタＴ１の第２電極に供給される。
【００８７】
第４トランジスタＴ４は、第１トランジスタＴ１の第２電極（又は第３トランジスタＴ３の第２電極）と第１ノードＮ１の間に接続される。
具体的には、第４トランジスタＴ４の第１電極は、第１ノードＮ１と接続され、第４トランジスタＴ４の第２電極は、第１トランジスタＴ１の第２電極と接続される。
そして、第４トランジスタＴ４のゲート電極は、（ｉ−１）番目の第１走査線Ｓ１（ｉ−１）に接続される。
第４トランジスタＴ４は、（ｉ−１）番目の第１走査線Ｓ１（ｉ−１）に第１走査信号が供給された時にターンオンされ、第４トランジスタＴ４、第６トランジスタＴ６、及び第７トランジスタＴ７が同時にターンオンすると、第１ノードＮ１に初期化電源Ｖｉｎｔの電圧が供給される。
【００８８】
第２トランジスタＴ２は、ｊ番目のデータ線Ｄｊと第１トランジスタＴ１の第１電極との間に接続される。
そして、第２トランジスタＴ２のゲート電極は、ｉ番目の第１走査線Ｓ１ｉに接続される。
第２トランジスタＴ２は、ｉ番目の第１走査線Ｓ１ｉに第１走査信号が供給された時にターンオンされて、ｊ番目のデータ線Ｄｊと第１トランジスタＴ１の第１電極を電気的に接続させる。
【００８９】
ストレージキャパシタＣｓｔは、第１電源ＥＬＶＤＤと第１ノードＮ１との間に接続される。
ストレージキャパシタＣｓｔは、データ信号及び第１トランジスタＴ１のしきい電圧に対応する電圧を貯蔵する。
【００９０】
図８は、図６に示した駆動部から出力される信号の出力タイミングを説明するための波形図である。
図８では上述した実施形態（例えば図３に示した波形図）と比較して変更された部分を中心に説明を進め、上述した実施形態と重複する部分については説明を省略する。
図８を参照すると、第１走査信号（Ｇ１１〜Ｇ１ｎ）が順次に出力される。
それぞれの第１走査信号（Ｇ１１〜Ｇ１ｎ）は、同じ幅を有する。
また、発光制御信号（Ｆ１〜Ｆｎ）が順次に出力される。
それぞれの発光制御信号（Ｆ１〜Ｆｎ）は同じ幅を有する。
この時、発光制御信号（Ｆ１〜Ｆｎ）の幅は、第１走査信号（Ｇ１１〜Ｇ１ｎ）の幅より大きくてもよい。
また、いずれか一つの発光制御信号Ｆｉは、いずれか一つの第１走査信号Ｇ１ｉと重なるように供給される。
【００９１】
以下では、図７及び図８を参照して図７に示した画素ＰＸＬの駆動方法を説明する。
一方、上述した実施形態（例えば、図２及び図３を参照した画素ＰＸＬの駆動方法）と比較して変更された部分を中心に説明を進め、上述した実施形態と重複する部分については説明を省略する。
【００９２】
まず、ｉ番目の発光制御線Ｅｉに発光制御信号Ｆｉが供給される。
ｉ番目の発光制御線Ｅｉに発光制御信号Ｆｉが供給されると第５トランジスタＴ５がターンオフされる。
この時、画素ＰＸＬは非発光状態に設定される。
以後、（ｉ−１）番目の第１走査線Ｓ１（ｉ−１）に第１走査信号Ｇ１（ｉ−１）が供給される。
これにより、第４トランジスタＴ４及び第７トランジスタＴ７がターンオンする。
この時、（ｉ＋１）番目の発光制御線Ｅ（ｉ＋１）に発光制御信号Ｆ（ｉ＋１）が供給される前であるから、第４トランジスタＴ４及び第７トランジスタＴ７と共に、第６トランジスタＴ６は同時にターンオン状態を維持する。
【００９３】
第７トランジスタＴ７がターンオンすると、初期化電源Ｖｉｎｔの電圧が有機発光ダイオードＯＬＥＤのアノード電極に供給される。
したがって、有機発光ダイオードＯＬＥＤに寄生的に形成された寄生キャパシタが放電され、これに伴い、ブラック表現能力を向上させることができる。
また、第４トランジスタＴ４、第６トランジスタＴ６、及び第７トランジスタＴ７が同時にターンオンすると、初期化電源Ｖｉｎｔの電圧が、第４トランジスタＴ４、第６トランジスタＴ６、及び第７トランジスタＴ７を経由して第１ノードＮ１に供給される。
そうすると、第１ノードＮ１は、初期化電源Ｖｉｎｔの電圧に初期化される。
【００９４】
第１ノードＮ１が初期化電源Ｖｉｎｔの電圧に初期化されると、ｉ番目の第１走査線Ｓ１ｉに第１走査信号Ｇ１ｉが供給される。
ｉ番目の第１走査線Ｓ１ｉに第１走査信号Ｇ１ｉが供給されると、第２トランジスタＴ２及び第３トランジスタＴ３がターンオンする。
第３トランジスタＴ３がターンオンすると、第１トランジスタＴ１がダイオードの形態で接続される。
第２トランジスタＴ２がターンオンすると、ｊ番目のデータ線Ｄｊからのデータ信号が第１トランジスタＴ１の第１電極に供給される。
この時、第１ノードＮ１がデータ信号よりも低い初期化電源Ｖｉｎｔの電圧に初期化されたため、第１トランジスタＴ１がターンオンされる。
第１トランジスタＴ１がターンオンすると、データ信号から第１トランジスタＴ１のしきい電圧を差し引いた電圧が第１ノードＮ１に印加される。
【００９５】
ストレージキャパシタＣｓｔは、第１ノードＮ１に印加されたデータ信号及び第１トランジスタＴ１のしきい電圧に対応する電圧を貯蔵する。
以後、ｉ番目の発光制御信号Ｆｉ及び（ｉ＋１）番目の発光制御信号Ｆ（ｉ＋１）の供給が順次に中断される。
ｉ番目の発光制御信号Ｆｉの供給が中断されると第５トランジスタＴ５がターンオンされ、（ｉ＋１）番目の発光制御信号Ｆ（ｉ＋１）の供給が中断されると第６トランジスタＴ６がターンオンする。
そうすると、第１電源ＥＬＶＤＤから第５トランジスタＴ５、第１トランジスタＴ１、第６トランジスタＴ６、及び有機発光ダイオードＯＬＥＤを経由して第２電源ＥＬＶＳＳに続く電流経路が形成される。
この時、第１トランジスタＴ１は、第１ノードＮ１の電圧に対応して第１電源ＥＬＶＤＤから有機発光ダイオードＯＬＥＤを経由して第２電源ＥＬＶＳＳに流れる電流量を制御する。
有機発光ダイオードＯＬＥＤは、第１トランジスタＴ１から供給される電流量に対応して所定の輝度の光を生成する。
【００９６】
図９は、図６に示した画素の他の実施形態を示す回路図である。
図９では説明の便宜性のために、ｉ番目の水平ラインに位置し、ｊ番目のデータ線Ｄｊと接続された画素ＰＸＬを示す。
また、図９では上述した実施形態（例えば図７に示した画素回路３４０）と比較して変更された部分を中心に説明を進め、上述した実施形態と重複する部分については説明を省略する。
これに伴い、ここでは第６トランジスタを中心に説明を進行する。
【００９７】
図９を参照すると、本発明の他の実施形態による画素ＰＸＬは、有機発光ダイオードＯＬＥＤと、有機発光ダイオードＯＬＥＤに供給される電流量を制御するための画素回路３５０を含む。
画素回路３５０は、有機発光ダイオードＯＬＥＤに供給される電流量を制御するために、第１トランジスタＴ１〜第７トランジスタＴ７、及びストレージキャパシタＣｓｔを具備する。
【００９８】
特に、第６トランジスタＴ６は、第１トランジスタＴ１と有機発光ダイオードＯＬＥＤとの間に接続される。
具体的には、第６トランジスタＴ６の第１電極は、有機発光ダイオードＯＬＥＤのアノード電極、第４トランジスタＴ４の第２電極、及び第７トランジスタＴ７の共通ノードに接続され、第６トランジスタＴ６の第２電極は第１トランジスタＴ１の第２電極（又は第３トランジスタＴ３の第２電極）に接続される。
そして、第６トランジスタＴ６のゲート電極は、ｉ番目の発光制御線Ｅｉに接続される。
第６トランジスタＴ６は、ｉ番目の発光制御線Ｅｉに発光制御信号が供給された時にターンオフされ、その他の場合にターンオンされる。
【００９９】
以下では図８も参照して、図９に示した本発明の他の実施形態による画素の駆動方法を説明する。
特に、上述した実施形態（例えば図７に示した画素の駆動方法）と比較して変更された部分を中心に説明を進め、重複する部分については説明を省略する。
まず、ｉ番目の発光制御線Ｅｉに発光制御信号Ｆｉが供給される。
ｉ番目の発光制御線Ｅｉに発光制御信号Ｆｉが供給されると第５トランジスタＴ５及び第６トランジスタＴ６がターンオフされ、画素ＰＸＬは非発光状態に設定される。
【０１００】
次に（ｉ−１）番目の第１走査線Ｓ１（ｉ−１）に第１走査信号Ｇ１（ｉ−１）が供給される。
これにより第４トランジスタＴ４及び第７トランジスタＴ７がターンオンする。
第７トランジスタＴ７がターンオンすると、初期化電源Ｖｉｎｔの電圧が有機発光ダイオードＯＬＥＤのアノード電極に供給される。
また、初期化電源Ｖｉｎｔの電圧が第７トランジスタＴ７及び第４トランジスタＴ４を経由して第１ノードＮ１に供給される。
【０１０１】
第１ノードＮ１が初期化電源Ｖｉｎｔの電圧に初期化されると、ｉ番目の第１走査線Ｓ１ｉに第１走査信号Ｇ１ｉが供給される。
ｉ番目の第１走査線Ｓ１ｉに第１走査信号Ｇ１ｉが供給されると、第２トランジスタＴ２及び第３トランジスタＴ３がターンオンする。
すなわち、データ信号から第１トランジスタＴ１のしきい電圧を差し引いた電圧が第１ノードＮ１に印加される。
ストレージキャパシタＣｓｔは、第１ノードＮ１に印加されたデータ信号及び第１トランジスタＴ１のしきい電圧に対応する電圧を貯蔵する。
以後、ｉ番目の発光制御信号Ｆｉの供給が中断され、第５トランジスタＴ５及び第６トランジスタＴ６がターンオンする。
そうすると、有機発光ダイオードＯＬＥＤは、第１トランジスタＴ１から供給される電流量に対応して所定の輝度の光を生成する。
【０１０２】
図１０は、図６に示した画素のさらに他の実施形態を示す回路図である。
図１０では説明の便宜性のために、ｉ番目の水平ラインに位置し、ｊ番目のデータ線Ｄｊと接続された画素ＰＸＬを示す。
また、図１０では上述した実施形態（例えば、図７に図示された画素回路３４０）と比較して変更された部分を中心に説明を進め、上述した実施形態と重複する部分については説明を省略する。
これに伴い、ここでは第６トランジスタ〜第８トランジスタを中心に説明を進行する。
【０１０３】
図１０を参照すると、本発明のさらに他の実施形態による画素ＰＸＬは、有機発光ダイオードＯＬＥＤと、有機発光ダイオードＯＬＥＤに供給される電流量を制御するための画素回路３６０を含む。
画素回路３６０は、有機発光ダイオードＯＬＥＤに供給される電流量を制御するために、第１トランジスタＴ１〜第８トランジスタＴ８、及びストレージキャパシタＣｓｔを具備する。
【０１０４】
第８トランジスタＴ８は、第１トランジスタＴ１の第２電極と初期化電源Ｖｉｎｔとの間に接続される。
具体的には、第８トランジスタＴ８の第１電極は、第１トランジスタＴ１の第２電極（又は第３トランジスタＴ３の第２電極や第４トランジスタＴ４の第２電極）に接続され、第８トランジスタＴ８の第２電極は、初期化電源Ｖｉｎｔを供給する電源線に接続される。
そして、第８トランジスタＴ８のゲート電極は、（ｉ−１）番目の第１走査線Ｓ１（ｉ−１）に接続される。
第８トランジスタＴ８は、（ｉ−１）番目の第１走査線Ｓ１（ｉ−１）に第１走査信号が供給された時にターンオンされ、その他の場合にターンオフされる。
【０１０５】
次に、第７トランジスタＴ７は、初期化電源Ｖｉｎｔと有機発光ダイオードＯＬＥＤとの間に接続される。
具体的には、第７トランジスタＴ７の第１電極は、有機発光ダイオードＯＬＥＤのアノード電極と接続され、第７トランジスタＴ７の第２電極は初期化電源Ｖｉｎｔを供給する電源線と接続される。
そして、第７トランジスタＴ７のゲート電極は、（ｉ＋１）番目の第１走査線Ｓ１（ｉ＋１）に接続される。
第７トランジスタＴ７は、（ｉ＋１）番目の第１走査線Ｓ１（ｉ＋１）に第１走査信号が供給された時にターンオンされ、その他の場合にターンオフされる。
【０１０６】
第６トランジスタＴ６は、第１トランジスタＴ１と有機発光ダイオードＯＬＥＤとの間に接続される。
具体的には、第６トランジスタＴ６の第１電極は、有機発光ダイオードＯＬＥＤのアノード電極に接続され、第６トランジスタＴ６の第２電極は第１トランジスタＴ１の第２電極（又は第３トランジスタＴ３の第２電極、第４トランジスタＴ４の第２電極及び第８トランジスタＴ８の共通ノード）に接続される。
そして、第６トランジスタＴ６のゲート電極は、ｉ番目の発光制御線Ｅｉに接続される。
第６トランジスタＴ６は、ｉ番目の発光制御線Ｅｉに発光制御信号が供給された時にターンオフされ、その他の場合にターンオンされる。
【０１０７】
以下では図８も参照して、図１０に示した本発明のさらに他の実施形態による画素の駆動方法を説明する。
特に、上述した実施形態（例えば図７に示した画素の駆動方法）と比較して変更された部分を中心に説明を進め、重複する部分については説明を省略する。
まず、ｉ番目の発光制御線Ｅｉに発光制御信号Ｆｉが供給される。
ｉ番目の発光制御線Ｅｉに発光制御信号Ｆｉが供給されると第５トランジスタＴ５及び第６トランジスタＴ６がターンオフされ、画素ＰＸＬは非発光状態に設定される。
【０１０８】
次に（ｉ−１）番目の第１走査線Ｓ１（ｉ−１）に第１走査信号Ｇ１（ｉ−１）が供給される。
これにより第４トランジスタＴ４及び第８トランジスタＴ８がターンオンする。
第４トランジスタＴ４及び第８トランジスタＴ８が同時にターンオンすると、初期化電源Ｖｉｎｔの電圧が、第８トランジスタＴ８及び第４トランジスタＴ４を経由して第１ノードＮ１に供給される。
第１ノードＮ１が初期化電源Ｖｉｎｔの電圧に初期化されると、ｉ番目の第１走査線Ｓ１ｉに第１走査信号Ｇ１ｉが供給される。
ｉ番目の第１走査線Ｓ１ｉに第１走査信号Ｇ１ｉが供給されると、第２トランジスタＴ２及び第３トランジスタＴ３がターンオンする。
すなわち、データ信号から第１トランジスタＴ１のしきい電圧を差し引いた電圧が第１ノードＮ１に印加される。
ストレージキャパシタＣｓｔは、第１ノードＮ１に印加されたデータ信号及び第１トランジスタＴ１のしきい電圧に対応する電圧を貯蔵する。
【０１０９】
次に、（ｉ＋１）番目の第１走査線Ｓ１（ｉ＋１）で第１走査信号Ｇ１（ｉ＋１）が供給され、これに伴い、第７トランジスタＴ７がターンオンする。
第７トランジスタＴ７がターンオンすると、初期化電源Ｖｉｎｔの電圧が有機発光ダイオードＯＬＥＤのアノード電極に供給される。
以後、ｉ番目の発光制御信号Ｆｉの供給が中断され、第５トランジスタＴ５及び第６トランジスタＴ６がターンオンする。
そうすると、有機発光ダイオードＯＬＥＤは、第１トランジスタＴ１から供給される電流量に対応して所定の輝度の光を生成する。
【０１１０】
尚、本発明は、上述の実施形態に限られるものではない。本発明の技術的範囲から逸脱しない範囲内で多様に変更実施することが可能である。
【符号の説明】
【０１１１】
１００    画素部
２１０ａ、２１０ｂ    （第１、第２）走査駆動部
２２０    発光駆動部
２３０    データ駆動部
２５０    タイミング制御部
３１０、３２０、３３０、３４０、３５０、３６０    画素回路
ＯＬＥＤ    有機発光ダイオード
ＰＸＬ    画素
【図１】
2019113835.tif 000003
【図２】
2019113835.tif 000004
【図３】
2019113835.tif 000005
【図４】
2019113835.tif 000006
【図５】
2019113835.tif 000007
【図６】
2019113835.tif 000008
【図７】
2019113835.tif 000009
【図８】
2019113835.tif 000010
【図９】
2019113835.tif 000011
【図１０】
2019113835.tif 000012